(57)【特許請求の範囲】
【請求項１】
扉の端部にストライクを設け、框側には錠前と該錠前の施錠操作及び解錠操作により上記ストライクに係合及び離脱するタングを有する施解錠装置を設けた扉錠装置において、
上記タングに被係合部を設け、上記ストライクには、カバーの箱形状部の内壁面に沿って摺動すると共に上記ストライクより突出する方向に付勢されるトリガと、上記被係合部に係脱可能なフックを有すると共に上記ストライクに傾動可能に枢着されるフックプレートとを設け、上記トリガにはガイドピンを設けると共に上記フックには上記ガイドピンが遊嵌して上記トリガが所定量以上突出した際に、該フックが上記被係合部に係合する方向に上記フックプレートを案内するようにしたカム溝を形成したことを特徴とする扉錠装置。
【請求項２】
上記ストライクには、上記タングの係入経路に交差するフック挿入孔を設け、該フック挿入孔は、上記被係合部に挿入された上記フックの先端部が係合する位置にあることを特徴とする請求項１に記載の扉錠装置。
【発明の詳細な説明】
【０００１】
【発明の属する技術分野】
本発明は、コインロッカ等の扉を施錠する扉錠装置において、扉と框側との隙間に工具を差し込んで隙間を拡大し、扉をこじ開ける窃盗を防止することができる扉錠装置に関する。
【０００２】
【従来の技術】
図９はコインロッカの扉錠装置の正面図であり、扉Ｄの端部にストライク（図示しない）が設けられ、扉Ｄの端部に相対する框側に、ストライクに係脱する施解錠装置Ａが取り付けられる。
施解錠装置Ａの表面には硬貨投入口１，硬貨払い戻し口２，シリンダ錠３が設けられ、扉Ｄの表面に把手４が設けられている。
【０００３】
利用客に使用されていないロッカは、図１０に示すように、施解錠装置Ａの側面からタング５が没入し、扉Ｄのストライク（図示しない）に係合していないので開扉可能であるが、ロッカ利用者が開扉してロッカ内に荷物を格納し、料金を投入すると、シリンダ錠３の鍵孔６（図９参照）に差し込まれたキーが回動可能になる。
【０００４】
施解錠装置Ａのケース８内の支軸９にタングロックレバー１０の下端部が枢着され、タングロックレバー１０の上端部に設けられた軸１１は、シフトプレート７の上端に設けられた縦長孔１２に係入すると共に、タング５の孔に係合しているので、シフトプレート７の時計方向回動により、タングロックレバー１０が大きく時計方向に回動すると共に、没入していたタング５が施解錠装置Ａのケース８から突出し（図１１参照）、扉Ｄのストライクに係合するので、扉Ｄは施錠される。  キーを解錠方向（図１１において反時計方向）に回動すると、シリンダ錠３のロータに係合するシフトプレート７がロータと一体となって同方向に回動し、突出していたタング５がケース８に没入して扉Ｄは解錠され、開扉可能になる。
【０００５】
【発明が解決しようとする課題】
然し、扉Ｄと施解錠装置Ａとの間の隙間Ｃにバールなどの工具を差し込んで隙間Ｃを拡大すれば、梃子により拡大された大きな破壊力を受けた扉Ｄや施解錠装置Ａが容易に塑性変形し、隙間Ｃをタング５の係入長さよりも大きく拡大したときにタング５が扉Ｄのストライクから離脱して開扉されてしまう。
このような扉こじ開けによる悪質な窃盗事故に対しては、いままで適当な防止策がなかった。
本発明はかかる課題を解決することを目的とし、扉Ｄにこじ開け力を加えると自動的にこじ開け力に対抗するロック力が発生する扉錠装置を提供するものである。
【０００６】
【課題を解決するための手段】
上記目的を達成するために、本発明は、
扉の端部にストライクを設け、框側には錠前と該錠前の施錠操作及び解錠操作により上記ストライクに係合及び離脱するタングを有する施解錠装置を設けた扉錠装置において、上記タングに被係合部を設け、上記ストライクには、カバーの箱形状部の内壁面に沿って摺動すると共に上記ストライクより突出する方向に付勢されるトリガと、上記被係合部に係脱可能なフックを有すると共に上記ストライクに傾動可能に枢着されるフックプレートとを設け、上記トリガにはガイドピンを設けると共に上記フックには上記ガイドピンが遊嵌して上記トリガが所定量以上突出した際に、該フックが上記被係合部に係合する方向に上記フックプレートを案内するようにしたカム溝を形成したことを特徴とするものである。
【０００７】
上記被係合部は上記フックの先端部が係入する被係合孔とすることができる。又、上記ストライクに、上記タングの係入経路に交差するフック挿入孔を設け、該フック挿入孔を、上記被係合部に挿入された上記フックの先端部が係合する位置にするとよい。
この場合には、こじ開け力に対抗するロック力が更に強化される。
【０００８】
上記ストライクは、扉の裏側に固着される箱形のストライクであり、扉の端面側の前壁に、突出した上記タングが係入する受け孔と、上記トリガの出没用孔が設けられ、内部に、上記トリガを突出する方向に付勢するスプリングと、上記フックプレートを枢着する支軸が設けられる構造とすることができる。
【０００９】
【発明の実施の形態】
本発明の実施の形態の具体例を図面を参照して説明する。
図１はこじ開け力を受けた状態を説明する扉錠装置の横断面図、図２は扉Ｄを除去した状態の扉錠装置の正面図、図３は扉Ｄの裏側から見たストライクＳの正面図、図４は図３のＸ矢視図、図５は図３のＹ矢視図、図６はストライクＳの分解斜視図である。
【００１０】
扉錠装置は、扉Ｄの裏側に固着されるストライクＳと、框側の施解錠装置Ａ１  とにより構成される。
施解錠装置Ａ１  は、被係合部１６を有するタング１５を使用する点が従来の施解錠装置Ａと異なるが、その他の構成は従来の施解錠装置Ａと同じである。
ストライクＳは、ストライク本体１７とカバー１８により箱形状に組み合わされ、ねじ１９により扉Ｄの裏側に固着される（図１，図６参照）。
【００１１】
ストライク本体１７は、図６に示すように、右側に前壁１７ａが屈曲して形成され、前壁１７ａにタング１５が係入する受け孔２０が設けられ、受け孔２０につながるトリガ出没用孔２１が設けられる。
ストライク本体１７には前壁１７ａの反対側の端部に、三方を切り起こし加工したフック支持壁２２が設けられ、相対する２つのフック支持壁２２に支軸２３が貫通し、残りの１つのフック支持壁２２にねじ孔３７が設けられる。
ストライク本体１７には、ねじ１９の挿通孔２４と、本発明の第２実施例に使用されるフック挿入孔２５が設けられる（図６参照）。
【００１２】
支軸２３に一端が枢着されるフックプレート２６の他端部（先端部）に、ストライク本体１７に向けて開口する切欠部２７が設けられ、この切欠部２７によりフックプレート２６の他端にフック２８が形成される。
フックプレート２６の中間部に設けられるカム溝２９は、ストライク本体１７の方に寄った通常用カム溝部２９ａと、通常用カム溝部２９ａの先端部（フック２８に近い方の端部）に連通しストライク本体１７から遠ざかる位置に設けられる防盗用カム溝部２９ｂとにより構成される（図６参照）。
【００１３】
カバー１８は、ストライク本体１７と前壁１７ａに開口する箱形状部１８ａと、箱形状部１８ａの上下の延設されるフランジ部１８ｂとにより構成され、フランジ部１８ｂは、ストライク本体１７に重合したときに挿通孔２４に重なる挿通孔３０が設けられ、カバー１８の後端壁には、ストライク本体１７のねじ孔３７に重なる孔３８が設けられ、孔３８に挿通されるねじ３９がねじ孔３７に螺合する（図５，図６参照）。
【００１４】
箱形状部１８ａの内壁面に沿って摺動可能なトリガ３１に、２つの案内長孔３２，３３と、先端部が小径のガイドピン３４ａとなるピン３４を設ける（図７参照）。
箱形状部１８ａの内壁面にばね支持ピン３５と案内ピン３６を立設し、ばね支持ピン３５を案内長孔３２に挿入した後に、ばね支持ピン３５に設けた環状溝３５ａに止め輪４０を嵌着し、案内ピン３６を案内長孔３３に挿入した後に、案内ピン３６に設けた環状溝６ａに止め輪４１を嵌着する（図７参照）。
【００１５】
従って、トリガ３１は案内ピン３６とばね支持ピン３５に案内されながら、箱形状部１８ａの内壁面に沿って摺動し、トリガ３１の先端部は、ストライク本体１７のトリガ出没用孔２１（図４参照）より出没する。
ばね支持ピン３５とトリガ３１のピン３４とにスプリング４２を張設することにより、トリガ３１の先端部はトリガ出没用孔２１より突出する方向に付勢される。
【００１６】
タング１５には、ストライクＳの受け孔２０に係入したときに、フック２８が係脱可能な被係合部１６が設けられる。
本実施例では、被係合部１６を２個の矩形状の被係合孔としたが、フック２８が係脱するものであれば切欠部であってもよい。
【００１７】
以上のように構成された扉錠装置の第１実施例の作用を図１，図２，図８（Ａ）〜（Ｃ）に基づいて説明する。
第１実施例は、ストライク本体１７にフック挿入孔２５が設けられないものであり、その点だけが第２実施例と相違する。
施解錠装置Ａ１  が解錠され、扉Ｄが開かれているときには、トリガ３１の先端部が前壁１７ａのトリガ出没孔２１から突出し、トリガ３１のピン３４の先端のガイドピン３４ａがカム溝２９の防盗用カム部２９ｂにあるので、ガイドピン３４ａがフックプレート２６を押動し、フック２８がストライク本体１７に接近する位置に傾動している（図８（Ａ）参照）。
【００１８】
扉Ｄを閉鎖すると、トリガ３１の先端部が框側に押されて後退し、ガイドピン３４ａが防盗用カム部２９ｂから通常用カム部２９ａに移動するので、ガイドピン３４ａがフックプレート２６をストライク本体１７から遠ざかる方向に押動し、フックプレート２６は、タング１５の進入を妨げない位置に傾動する（図８（Ｂ）参照）。
【００１９】
シリンダ錠３の鍵孔に挿入したキーＫを施錠方向に回動すると、施解錠装置Ａ１  から突出したタング１５が受け孔２０に係入するので扉Ｄが開扉不能になる。この施錠状態では、タング１５の被係合部１６はフック２８の係入を許容する位置にある。
トリガ３１は後退した位置にあるので、フックプレート２６は、キーＫの施錠，解錠操作に干渉しない下方傾動位置に保持されている（図８（Ｃ）参照）。
【００２０】
この施錠状態において、悪質な者が扉Ｄと施解錠装置Ａ１  との隙間に工具を差し込み、隙間を拡大して扉Ｄをこじ開けようとすると、隙間の拡大に応じてトリガ３１が突出するので、トリガ３１のガイドピン３４ａが通常用カム部２９ａから防盗用カム部２９ｂに移動し、ガイドピン３４ａに押されたフックプレート２６が図１において上方に傾動し、フック２８がタング１５の被係合部１６に係入するので、ストライクＳのフック２８と施解錠装置Ａ１  のタング１５が一体的に係合し、隙間の拡大を阻止する（図１参照）。
【００２１】
こじ開け力が極めて大きい場合には、こじ開け力を受けたフック２８に曲げ変形が生じ、ストライクＳの寿命が短くなる恐れがあるので、これを防止するのが本発明の第２実施例である。
フックプレート２６のフック２８を延長し、閉鎖時にタング１５がフック２８に干渉しないようにカム溝２９を調整するとともに、ストライク本体１７に、フック２８の先端が係入するフック挿入孔２５を設けた場合、扉Ｄをこじ開け力が加わると、フック２８がタング１５の被係合部１６と、ストライク本体１７のフック挿入孔２５に係入しているので、フック挿入孔２５がフック２８の曲げを阻止する。
従って、フック２８を剪断する極めて大きな扉こじ開け力を加えない限り、扉Ｄを不当に開けることはできない。
本発明の第１，第２実施例は、コインロッカの扉錠装置について述べたが、タングの突出により施錠する錠装置であれば、本発明を適用することができる。
【００２２】
【発明の効果】
本発明は以上述べたように、タングに被係合部を設け、ストライクには、カバーの箱形状部の内壁面に沿って摺動すると共に上記ストライクより突出する方向に付勢されるトリガと、上記被係合部に係脱可能なフックを有すると共に上記ストライクに傾動可能に枢着されるフックプレートとを設け、上記トリガにはガイドピンを設けると共に上記フックには上記ガイドピンが遊嵌して上記トリガが所定量以上突出した際に、該フックが上記被係合部に係合する方向に上記フックプレートを案内するようにしたカム溝を形成した構成であるから、扉と施解錠送致との間隙を拡大して扉をこじ開けようとすると、間隙の拡大に応じてトリガが突出し、ガイドピンの移動、フックプレートの傾動、タングの被係合部へのフックの係入、ストライクのフックと施解錠装置のタングとの一体的な係合等の作用により、従来から問題になっていた扉のこじ開けを防止することができ、信頼性の高い扉錠装置を安価に提供することができる。
ストライクは扉の裏面側にコンパクトに収納することができるので、荷物格納スペースは減少することはない。
【図面の簡単な説明】
【図１】こじ開け力に対抗する状態を説明する扉錠装置の横断面図である。
【図２】扉を除去した状態の扉錠装置の正面図である。
【図３】扉の裏側から見たストライクボックスの正面図である。
【図４】図３のＸ矢視図である。
【図５】図３のＹ矢視図である。
【図６】ストライクボックスの分解斜視図である。
【図７】ストライクボックスのカバーの斜視図である。
【図８】図８（Ａ）〜（Ｃ）は開扉状態、閉扉状態、施錠状態を示す扉錠装置の横断面図である。
【図９】従来の扉錠装置の正面図である。
【図１０】扉錠装置に使用される施解錠装置の施錠状態を示す背面図である。
【図１１】扉錠装置に使用される施解錠装置の解錠状態を示す背面図である。
【符号の説明】
Ａ１                  施解錠装置
Ｄ                  ドア
Ｓ                  ストライク
１５                タング
１６                被係合部
１７                ストライク本体
１８                カバー
２０                受け孔
２１                トリガ出没用孔
２３                支軸
２５                フック挿入孔
２６                フックプレート
２８                フック
２９                カム溝
２９ａ              通常用カム部
２９ｂ              防盗用カム部
３１                トリガ
３２，３３          案内長孔
３４                ピン
３４ａ              ガイドピン
３６                案内ピン
４２                スプリング
【図１】
0003553790.tif 000002
【図２】
0003553790.tif 000003
【図３】
0003553790.tif 000004
【図４】
0003553790.tif 000005
【図５】
0003553790.tif 000006
【図６】
0003553790.tif 000007
【図７】
0003553790.tif 000008
【図８】
0003553790.tif 000009
【図９】
0003553790.tif 000010
【図１０】
0003553790.tif 000011
【図１１】
0003553790.tif 000012